(57)【要約】【課題】相手物に簡単かつ確実にボックスを取り付けることができ、自重等で位置ずれを生じにくい磁石付きボックスを提供する。【解決手段】ボックス１１の外面に磁石２１を設けて前記磁石２１の磁力により相手物に前記ボックス１１を固定する磁石付きボックスであって、前記ボックスの外面に前記磁石２１を複数設けると共に、前記磁石２１の他に滑り止め部材３１を設け、前記磁力による前記相手物へのボックス固定時に前記滑り止め部材３１が前記相手物と接触するようにした。また、前記滑り止め部材３１を弾性材で構成すると共に前記磁石２１の表面よりも突出するようにして前記ボックスの外面に設け、前記相手物への前記ボックスの固定時に前記滑り止め部材３１が前記相手物と接触して圧縮されるようにした。【選択図】        図２
2006056576.tif 000002
【特許請求の範囲】
【請求項１】
ボックスの外面に磁石を設けて前記磁石の磁力により相手物に前記ボックスを固定する磁石付きボックスにおいて、
前記ボックスの外面に前記磁石を複数設けると共に、前記磁石の他に滑り止め部材を設け、前記磁力による前記相手物へのボックス固定時に前記滑り止め部材が前記相手物と接触するようにしたことを特徴とする磁石付きボックス。
【請求項２】
前記滑り止め部材を前記磁石間に設けたことを特徴とする請求項１に記載の磁石付きボックス。
【請求項３】
前記磁石を設けた前記ボックスの外面は、少なくとも２以上のコーナーを有し、前記コーナーに前記磁石を設けたことを特徴とする請求項２に記載の磁石付きボックス。
【請求項４】
前記滑り止め部材を弾性材で構成すると共に前記磁石の表面よりも突出するようにして前記ボックスの外面に設け、前記相手物への前記ボックスの固定時に前記滑り止め部材が前記相手物と接触して圧縮されるようにしたことを特徴とする請求項１から３の何れか一項に記載の磁石付きボックス。
【請求項５】
前記ボックスに前記滑り止め部材を貫通したネジ孔を設けたことを特徴とする請求項４に記載の磁石付きボックス。
【発明の詳細な説明】
【技術分野】
【０００１】
本発明は、ボックスの外面に固定用磁石を設けた磁石付きボックスに関する。
【背景技術】
【０００２】
従来、ボックスの外面に磁石を設けて磁石の磁力によりボックスを金属製の壁面等に取り付けることが知られている。前記ボックスは、機械の操作部であったり、種々の電子基板や部品等が収容されたりする。
【０００３】
しかし、斜面や垂直面にボックスを磁力のみで取り付けると、ボックスが重み等で自然にずり落ち、一定位置を維持し難いことがある。また、ボックスを取り付ける相手物の表面が斜面や垂直面でない場合であっても、相手物が振動する機械などの場合、振動によってボックスの位置が自然にずれることもある。
【特許文献１】特開平５−３１０２５２号公報
【発明の開示】
【発明が解決しようとする課題】
【０００４】
本発明は前記の点に鑑みなされたものであり、相手物に簡単かつ確実にボックスを取り付けることができ、自重等で位置ずれを生じにくい磁石付きボックスの提供を目的とする。
【課題を解決するための手段】
【０００５】
請求項１の発明は、ボックスの外面に磁石を設けて前記磁石の磁力により相手物に前記ボックスを固定する磁石付きボックスにおいて、前記ボックスの外面に前記磁石を複数設けると共に、前記磁石の他に滑り止め部材を設け、前記磁力による前記相手物へのボックス固定時に前記滑り止め部材が前記相手物と接触するようにしたことを特徴とする。
【０００６】
請求項２の発明は、請求項１において、前記滑り止め部材を前記磁石間に設けたことを特徴とする。
【０００７】
請求項３の発明は、請求項２において、前記磁石を設けた前記ボックスの外面が、少なくとも２以上のコーナーを有し、前記コーナーに前記磁石を設けたことを特徴とする。
【０００８】
請求項４の発明は、請求項１から３の何れか一項において、前記滑り止め部材を弾性材で構成すると共に前記磁石の表面よりも突出するようにして前記ボックスの外面に設け、前記相手物への前記ボックスの固定時に前記滑り止め部材が前記相手物と接触して圧縮されるようにしたことを特徴とする。
【０００９】
請求項５の発明は、請求項４において、前記ボックスに前記滑り止め部材を貫通したネジ孔を設けたことを特徴とする。
【発明の効果】
【００１０】
請求項１の発明によれば、ボックスの外面に磁石を複数設けると共に、前記磁石の他に滑り止め部材を設けて、前記磁力による前記相手物へのボックス固定時に前記滑り止め部材が前記相手物と接触するようにしたことにより、磁力による相手物への吸引固定作用と滑り止め部材のずれ防止作用によって、ボックスを相手物に簡単かつ確実に取り付けることができ、しかも自重等による位置ずれを生じにくくできる。
【００１１】
請求項２の発明によれば、前記滑り止め部材を磁石間に設けたことにより、滑り止め部材の両外側でボックスを相手物へ磁力吸引して滑り止め部材を相手物に確実に接触させることができ、滑り止め部材の滑り止め作用を高めることができる。
【００１２】
請求項３の発明によれば、前記磁石を設けた前記ボックスの外面が、少なくとも２以上のコーナーを有し、前記コーナーに前記磁石を設けたことにより、ボックスの縁を相手物へ磁力吸引して確実に固定することができる。
【００１３】
請求項４の発明によれば、前記滑り止め部材を弾性材で構成すると共に前記磁石の表面よりも突出するようにして前記ボックスの外面に設け、相手物へのボックスの固定時に前記滑り止め部材が相手物と接触して圧縮されるようにしたことにより、相手物へのボックスの固定時に滑り止め部材が圧縮されて相手物に密着するため、滑り止め部材の滑り止め作用が一層向上し、ボックスの位置ずれをより確実に防ぐことができる。また、滑り止め部材が磁石の表面よりも突出しているため、テーブルや机または前記相手物などに、磁石が設けてある外面を向けてボックスを置く場合、磁石よりも先に滑り止め部材が該テーブルや机または相手物等に接触する可能性が高くなる。そして、磁石よりも先に滑り止め部材が該テーブルや机または相手物等に接触することにより、前記磁石が該テーブルや机または相手物等に衝突するのを緩和して、該テーブルや机または相手物等が磁石で傷つく可能性を低くするという効果も得られる。
【００１４】
請求項５の発明によれば、前記ボックスに滑り止め部材を貫通したネジ孔を設けたことにより、前記ネジ孔にビスなどのネジ部材を挿通して相手物に固定させれば、弾性材からなる滑り止め部材をボックスと相手物間で確実かつ強力に圧縮することができ、滑り止め部材による高い滑り止め効果を得ることができるのみならず、ネジ部材による機械的な固定を行うこともできる。
【発明を実施するための最良の形態】
【００１５】
以下この発明の実施形態を説明する。図１は本発明の第一実施形態に係る磁石付きボックスの斜視図、図２は同第一実施形態に係る磁石付きボックスの正面図、右側面図、底面図、図３は第二実施形態に係る磁石付きボックスの正面図、右側面図、底面図である。
【００１６】
図１及び図２に示す磁石付きボックス１０は、ボックス１１の外面に磁石２１を複数設けると共に、前記磁石２１の他に滑り止め部材３１を設け、前記磁石２１の磁力による相手物へのボックス固定時に滑り止め部材３１が相手物と接触するようにした構成からなる。
【００１７】
前記ボックス１１は、金属製、プラスチック製、木製等からなり、用途に応じて内部に電子基板や機械の操作部品が収容されたり、外部や内部にスイッチ等が配設されたりする。図示の例では、直方体のケースからなって、取り付け側の底部が両外側に張り出したフランジ部１２となっている。前記ボックス１１において磁石２１が設けられる外面は、少なくとも２以上のコーナー（角部）を有し、図示の例では４つのコーナーを有する長方形の底面１３で構成されている。
【００１８】
前記磁石２１は適宜の個数とされるが、図示の例では、前記ボックス１１の底面１３の４つのコーナーにおけるフランジ部１２の裏面に、合計４個の磁石２１が接着等により固定されている。また、前記磁石２１の形状は、適宜の形状とされるが、図示の例では、長方形の平板状からなる。前記複数の磁石２１は互いに間隔を開けて設けられ、磁石２１間に滑り止め部材３１が設けられている。
【００１９】
前記滑り止め部材３１は、表面に凹凸あるいは気孔を有するなどによって生じる摩擦抵抗による滑り止め作用を有するものとされる。さらに滑り止め部材３１は、弾性材が好ましい。滑り止め作用を有する弾性材の例として、ゴムやウレタン等からなる多孔質の弾性材、例えばスポンジ等を挙げることができる。前記弾性材からなる滑り止め部材３１は、前記磁石２１の表面（相手物との吸引側表面）よりも突出するようにして接着等で前記ボックス１１の底面１３に固定されている。前記磁石２１の表面からの前記滑り止め部材３１の突出量ｔは、前記滑り止め部材３１の弾性や磁石２１の磁力程度により異なるが、例として０．５〜数ｍｍを挙げる。また、図示の例では、前記滑り止め部材３１は、前記ボックス１１の底面１３において対向する一組の辺に沿って磁石２１間に設けてあるが、他の一組の辺に沿って磁石２１間に設けたり、二組の辺に沿って４個の磁石２１間に設けたり、あるいは対角線上の磁石２１間に設けたりしてもよい。
【００２０】
前記磁石付きボックス１０は、前記磁石２１を機械の表面や建物の壁面等、金属表面を有する相手物に接触させることにより、磁石２１の磁力で相手物に吸引固定されて取り付けられる。その際、前記滑り止め部材３１が相手物に接触して圧縮されることにより相手物の表面に密着するため、滑り止め部材３１の滑り止め作用が一層向上し、ボックスの位置ずれが効果的に防止される。
【００２１】
図３に示す第二実施形態の磁石付きボックス１０Ａは、ボックス１１に滑り止め部材３１を貫通したネジ孔４１を設けたもので、他の構成は図１及び図２に示した第一実施形態の磁石付きボックス１０と同様である。なお、第二実施形態の磁石付きボックス１０Ａにおいて、第一実施形態の磁石付きボックス１０と同様の部材については同一の符号を用いて示す。
【００２２】
前記磁石付きボックス１０Ａは、前記磁石２１が、機械の表面や建物の壁面等、金属表面を有する相手物に接触して前記磁石２１の磁力で相手物に吸引固定される。また、相手物のボックス取り付け面が垂直であって、かつ前記磁石付きボックス１０Ａが重すぎることにより、あるいは相手物が振動していることによりボックスが位置ずれを生じるおそれが有る場合には、前記ネジ孔４１にビス等のネジ部材を挿入して相手物に固定することもできる。これによって、弾性材からなる滑り止め部材３１をボックスと相手物間で確実かつ強力に圧縮することができ、滑り止め部材３１による高い滑り止め効果を得ることができるのみならず、ネジ部材による機械的な固定を行うこともでき、ボックスの位置ずれを確実に防止することができる。なお、図示の例では、前記フランジ部１２の裏面に弾性材からなる滑り止め部材３１を設け、前記フランジ部１２及び滑り止め部材３１を貫通してネジ孔４１が設けてあり、前記フランジ部１２側、あるいは相手物側から前記ネジ孔４１にネジ部材を挿通し、相手物あるいはフランジ部１２に配置したナット類と螺合させるようになっている。
【図面の簡単な説明】
【００２３】
【図１】本発明の第一実施形態に係る磁石付きボックスの斜視図である。
【図２】同第一実施形態に係る磁石付きボックスの正面図、右側面図、底面図である。
【図３】第二実施形態に係る磁石付きボックスの正面図、右側面図、底面図である。
【符号の説明】
【００２４】
１０，１０Ａ  磁石付きボックス
１１  ボックス
２１  磁石
３１  滑り止め部材
４１  ネジ孔
【図１】
2006056576.tif 000003
【図２】
2006056576.tif 000004
【図３】
2006056576.tif 000005